(57)【要約】  本発明は、被検者の参照頭位の特定方法に関し、前記方法は、ａ）被検者の少なくとも一方の瞼の動き又は位置を、被検者が自分の注視線を所定の方向に向ける初期頭位から始めて本人が自分の頭を上下に動かしている間に取得するステップであって、被検者は自分の注視線を、頭部の移動中に前記所定の方向に向けたままとするようなステップと、ｂ）前記参照頭位を、ステップａ）における被検者の頭部の移動中に、被検者の少なくとも一方の瞼の動き又は位置に応じて特定するステップと、を含む。さらに、本発明はまた、被検者により装用される眼鏡のフレームに関連付けられる特徴的高さを測定する方法も提案する。最後に、本発明は、眼鏡のフレーム内への眼鏡レンズの取付け方法及び取付けの検証方法に関する。
2021505253.tif 000002
【特許請求の範囲】
【請求項１】
被検者の参照頭位を特定する方法において、
ａ）前記被検者の少なくとも一方の瞼の動き又は位置を、本人が自分の頭部を、本人が自分の注視線を所定の方向に向ける初期頭位から始めて上下に移動させる間に取得するステップであって、前記被検者は自分の頭部の移動中に自分の注視線を前記所定の方向に向け続けるようなステップと、
ｂ）ステップａ）における本人の頭部の前記移動中に、前記参照頭位を、前記被検者の前記少なくとも一方の瞼の前記動き又は前記位置に応じて特定するステップと、
を含む方法。
【請求項２】
ステップｂ）で、前記被検者の前記少なくとも一方の瞼は本人の上瞼である、請求項１に記載の方法。
【請求項３】
前記参照頭位は、ステップｂ）で、前記被検者の前記頭部が上に移動し、又は下に移動する際に、前記少なくとも一方の上瞼が移動を停止し、又は開始する瞬間に前記被検者がとる前記頭位として特定される、請求項２に記載の方法。
【請求項４】
前記参照頭位は、ステップｂ）で、前記被検者の前記頭部が下に移動し、又は上に移動する際に、前記少なくとも一方の上瞼が前記被検者の対応する眉の眉弓の中にちょうど入り、又はそこから出る瞬間に前記被検者がとる前記頭位として特定される、請求項２に記載の方法。
【請求項５】
ステップａ）で、前記所定の方向は前記被検者の、本人が自分の正面にある固定点、又は鏡の中若しくはスクリーン上の自分自身を見ているときの注視方向である、請求項１〜４の何れか１項に記載の方法。
【請求項６】
ステップｂ）で、前記参照頭位は、前記被検者の前記少なくとも一方の瞼の前記動き及び／又は前記位置を目視で、又はビデオカメラによって観察している間に特定される、請求項１〜５の何れか１項に記載の方法。
【請求項７】
前記被検者により物理的又は仮想的に装用される眼鏡のフレームに関連する特徴的高さ（Ｂ）を測定する方法において、
−  請求項１〜６の何れか１項に記載の特定方法を使って前記被検者の参照頭位を特定するステップと、
−  前記被検者の前記頭部が前記参照頭位にあるときに、前記特徴的高さの測定値を、前記被検者の一方の瞳孔の中心と前記フレームの下縁との間の、前記初期の所定の方向に実質的に垂直な縦方向に沿った距離に応じて特定するステップと、
を含む方法。
【請求項８】
−  前記特定方法のステップｂ）で、前記縦方向に関する前記被検者の前記頭部の傾き角度が取得され、
−  前記被検者の前記頭部が前記縦方向に関して、前記取得された傾き角度だけ傾いているときに、前記特徴的高さが特定される、
請求項７に記載の方法。
【請求項９】
前記測定値に対するオフセットを使って前記特徴的高さの実際の値が特定される、請求項７又は８に記載の方法。
【請求項１０】
前記被検者が前記眼鏡を仮想的に装用したとき、前記被検者の前記頭部に関する前記フレームの位置が、前記被検者の前記眉と前記フレームの上縁との間の前記縦方向に沿った距離にしたがって特定される、請求項７〜９の何れか１項に記載の方法。
【請求項１１】
前記被検者の前記瞳孔の大きさを収縮させるように適合された照明条件で、前記特徴的高さの前記測定値が特定される、請求項６〜１０の何れか１項に記載の方法。
【請求項１２】
少なくとも１つの眼鏡レンズの、被検者により装用されるように設計された眼鏡のフレームへの取付けを検証する方法において、
−  請求項１〜６の何れかに記載の特定方法を使って前記被検者の参照頭位を特定するステップと、
−  前記被検者が前記参照頭位にあり、前記少なくとも１つの眼鏡レンズの入っていない前記フレームを装用したときの前記フレームの第一の画像を撮影するステップと、
−  マーキングを有する前記少なくとも１つの眼鏡レンズを前記フレームに取り付けるステップと、
−  前記マーキングを表示する、前記少なくとも１つの眼鏡レンズが嵌められた前記フレームの第二の画像を撮影するステップと、
−  前記第一及び第二の画像を処理して、両方の画像の中に前記フレームの前記画像を重ねるステップと、
−  前記マーキングと、前記眼鏡レンズで視力矯正される予定の前記被検者の眼の瞳孔の中心との間の距離の計算値を特定するステップと、
−  前記計算値を閾値と比較するステップと、
−  前記少なくとも１つの眼鏡レンズの前記フレームへの前記取付けを、それ以前の前記比較に応じて検証するステップと、
を含む方法。
【請求項１３】
被検者の参照頭位を特定する装置において、
−  前記被検者の少なくとも一方の瞼の動き又は位置を、本人が自分の頭部を、本人が自分の注視線を所定の方向に向ける初期頭位から始めて、上下に動かしている間に受信するように適合された受信手段であって、前記被検者は自分の頭部の前記移動中に、自分の注視線を前記所定の方向に向け続けるような受信手段と、
−  前記受信手段により受信された画像又はフィルムを分析して、前記参照頭位を、前記被検者の少なくとも一方の瞼の動き及び位置の少なくとも１つに応じて特定するように構成された画像処理手段と、
を含む装置。
【請求項１４】
前記被検者が物理的又は仮想的に眼鏡を装用し、
−  前記受信手段が、前記被検者の少なくとも１つの画像を、本人の頭部が前記前記参照頭位にあるときに受信するように適合され、
−  前記画像処理手段はさらに、前記少なくとも１つの画像を分析して、前記眼鏡のフレームに関連付けられる特徴的高さの測定値を、前記被検者の一方の瞳孔の中心と前記フレームの下縁との間の、前記初期の所定の方向に実質的に垂直な縦方向に沿った距離に応じて特定するように構成される、
請求項１３に記載の装置。
【請求項１５】
１つ又は複数の処理装置に、被検者の参照頭位を特定する方法を実行させるように構成された非一時的コンピュータ可読媒体において具現化されるソフトウェアプログラム製品において、前記方法は、
ａ）前記被検者の少なくとも一方の瞼の動き又は位置を、本人が自分の注視線を所定の方向に向ける初期頭位から始めて、本人が自分の頭部を上下に移動させる間に取得するステップであって、前記被検者は自分の注視線を自分の頭部の前記移動中に前記所定の方向に向け続けるようなステップと、
ｂ）前記参照頭位を、ステップａ）の本人の頭部の前記移動中に前記被検者の前記少なくとも一方の瞼の前記動き又は前記位置に応じて特定するステップと、
を含むソフトウェアプログラム製品。
【発明の詳細な説明】
【技術分野】
【０００１】
本発明は検眼の分野に関し、眼鏡レンズを装用する被検者に関するパラメータの測定に関する。
【０００２】
より詳しくは、本発明は被検者の参照頭位を特定する方法及び装置に関する。
【０００３】
本発明はまた、被検者が装用する眼鏡のフレームに関係する特徴的高さを測定する方法も提案する。
【０００４】
さらに、本発明は、眼鏡のフレームへの眼鏡レンズの取付け方法とその取付けの検証方法に関する。
【背景技術】
【０００５】
数多くの文献に、被検者の頭位を特定する装置と方法が記載されている。
【０００６】
例えば、国際公開第２０１０／１４５７３６号の文献は、被検者の頭位を特定するための、改良された方法を提供する。国際公開第２０１０／１４５７３６号の方法は、特定の期間にわたり被検者の頭位を記録するステップと、記録された頭位から、好まれる、又は「習慣的な」頭位を特定するステップと、を含む。
【０００７】
この方法では、被検者の習慣的頭位が、ある時点でランダムに記録又は特定され、その被検者の通常の頭位に正確に対応していない頭位として誤って想定されることが防止される。
【０００８】
しかしながら、この方法は、被検者の頭部又はそのフレームに機器を取り付け、長時間にわたるビデオ撮影を行うことになるアイケア従事者にとって冗長な作業であるかもしれない。さらに、測定結果は非常に正確であるかもしれないが、日によって大きなばらつきがある。
【発明の概要】
【発明が解決しようとする課題】
【０００９】
したがって、本開示の１つの目的は、正確であり、アイケア従事者により容易に行われるが、信頼性が高く、日が変わっても再現可能な、被検者の参照頭位を特定する正確且つ信頼できる、簡単な方法を提供することである。
【課題を解決するための手段】
【００１０】
上記の目的は、本発明によれば、方法を提供することにより達成され、これは、
ａ）被検者の少なくとも一方の瞼の動き又は位置を、本人が自分の頭部を、本人が自分の注視線を所定の方向に向ける初期頭位から始めて上下に移動させる間に取得するステップであって、被検者は自分の頭部の移動中に自分の注視線を前記所定の方向に向けたままにするようなステップと、
ｂ）ステップａ）における本人の頭部の移動中に、前記参照頭位を、被検者の少なくとも一方の瞼の動き又は位置に応じて特定するステップと、
を含む。
【００１１】
実際に、本出願により、この方法により特定された被検者の頭位が非常に信頼性の高いものであり、測定が行われる時間に依存しないことがわかった。
【００１２】
特に、本発明による方法では、各被検者に非常に特定的な参照頭位を特定できる。
【００１３】
特定の実施形態において、被検者の少なくとも一方の瞼の動き又は位置を取得する前記ステップａ）は、被検者に対し：
ａ１）本人が自分の注視線を所定の方向に向ける初期頭位をとるように、及び
ａ２）自分の頭部を前記初期頭位から始めて、自分の注視線を前記所定の方向に向けたままにしながら上下に動かすように
依頼することを含む。
【００１４】
本発明による方法のその他の利点と非限定的な特徴は以下のとおり：
−  ステップｂ）で、被検者の少なくとも一方の瞼は本人の上瞼であり、
−  参照頭位は、ステップｂ）で、被検者の頭部が上に移動し、又は下に移動する際に、前記少なくとも一方の上瞼が移動を停止し、又は開始する瞬間に被検者がとる頭位として特定され、
−  参照頭位は、ステップｂ）で、被検者の頭部が上に移動し、又は下に移動する際に、前記少なくとも一方の上瞼が被検者の対応する眉の眉弓の中にちょうど入り、又はそこから出る瞬間に被検者がとる頭位として特定され、
−  ステップａ）で、所定の方向は被検者の、本人が自分の正面にある固定点、又はミラー若しくは表示スクリーン上の自分自身を見ているときの注視方向であり、
−  ステップｂ）で、前記参照頭位は、ステップａ）で被検者の前記少なくとも一方の瞼の動き及び／又は位置を目視で、又はビデオカメラによって観察している間に特定される。
【００１５】
本発明の別の目的は、参照頭位の特定によって、常に被検者の同じ頭位での測定が可能となるという利益が得られる測定方法を提供することである。
【００１６】
したがって、本発明は、前記被検者により物理的又は仮想的に装用される眼鏡のフレームに関連する特徴的高さを測定する方法を提案し、前記方法は、
−  上述の発明による特定方法を使って被検者の参照頭位を特定するステップと、
−  被検者の頭部が前記参照頭位にあるときに、前記特徴的高さの測定値を、前記被検者の一方の瞳孔の中心と前記フレームの下縁との間の、初期の所定の方向に実質的に垂直な縦方向に沿った距離に応じて特定するステップと、
を含む。
【００１７】
有利な点として、ステップｂ）で、前記縦方向に関する被検者の頭部の傾き角度が取得され、被検者の頭部が前記縦方向に関して、取得された傾き角度だけ傾いているときに、前記特徴的高さが特定される。
【００１８】
本発明による測定方法のその他の利点と非限定的な特徴は以下のとおり：
−  測定値に対するオフセットを使って前記特徴的高さの実際の値が特定され、
−  前記オフセットは被検者の民族性に依存し、
−  被検者が前記眼鏡を仮想的に装用したとき、被検者の頭部に関する前記フレームの位置が、被検者の眉と前記フレームの上縁との間の前記縦方向に沿った距離にしたがって特定され、
−  被検者の瞳孔の大きさを収縮させるように適合された照明条件で、特徴的高さの前記測定値が特定される。
【００１９】
本発明の他の目的は、フレームへのレンズの取付けを助け、検証する方法を提供することである。
【００２０】
より詳しくは、本発明は、少なくとも１つの眼鏡レンズの、被検者により装用されるように設計された眼鏡のフレームへの取付けを検証する方法に関し、前記方法は、
−  本発明による特定方法を使って被検者の参照頭位を特定するステップと、
−  被検者が前記参照頭位にあり、少なくとも１つの眼鏡レンズの入っていない前記フレームを装用したときのフレームの第一の画像を撮影するステップと、
−  マーキングを有する少なくとも１つの眼鏡レンズを前記フレームに取り付けるステップと、
−  前記マーキングを表示する、少なくとも１つの眼鏡レンズが嵌められたフレームの第二の画像を撮影するステップと、
−  前記第一及び第二の画像を処理して、両方の画像の中にフレームの画像を重ねるステップと、
−  前記マーキングと、前記眼鏡レンズで視力矯正される予定の被検者の眼の瞳孔中心との間の距離の計算値を特定するステップと、
−  前記計算値を閾値と比較するステップと、
−  少なくとも１つの眼鏡レンズのフレームへの取付けを、それ以前の比較に応じて検証するステップと、
を含む。
【００２１】
本発明の他の目的は、被検者の参照頭位を特定する装置を提供することであり、これは、
−  被検者の少なくとも一方の瞼の動き又は位置を、本人が自分の頭部を、本人が自分の注視線を所定の方向に向ける初期頭位から始めて、上下に動かしている間に受け取るように適合された受信手段であって、被検者は自分の頭部の移動中に、自分の注視線を前記所定の方向に向けたままにするような受信手段と、
−  前記画像撮影手段により撮影された画像又はフィルムを分析して、前記参照頭位を、被検者の少なくとも一方の瞼の動き及び位置の少なくとも１つに応じて特定するように構成された画像処理手段と、
を含む。
【００２２】
特定の実施において、装置は、被検者の少なくとも一方の瞼の動き又は位置を撮影し、それを受信手段に提供するように適合された画像撮影手段をさらに含む。
【００２３】
好ましい実施形態において、本発明による装置は、被検者の正面に配置され、本人が自分の注視線を所定の方向に向ける初期頭位を本人がとれるようにする眼捕捉手段を含む。
【００２４】
他の実施形態において、眼捕捉手段は、本発明の装置に追加して提供される。
【００２５】
有利な点として、眼捕捉手段は、被検者の両眼と同じ高さに位置付けられる光源を含んでいてよい。
【００２６】
代替的に、眼捕捉手段は、被検者の正面に位置付けられて、所定の方向が実質的に水平になるようにするミラー又は表示スクリーンを含んでいてよい。
【００２７】
前記被検者が物理的又は仮想的に眼鏡を装用する、他の好ましい実施形態において、本発明による装置は、
−  受信手段が、被検者の少なくとも１つの画像を、本人の頭部が前記参照頭位にあるときに受信するように適合され、
−  画像処理手段はさらに、前記少なくとも１つの画像を分析して、前記眼鏡のフレームに関連付けられる特徴的高さの測定値を、被検者の一方の瞳孔の中心と前記フレームの下縁との間の、初期の所定の方向に実質的に垂直な縦方向に沿った距離に応じて特定するように構成される
というものである。
【００２８】
画像撮影手段を備える特定の実施において、被検者の画像を、本人の頭部が参照頭位にあるときに撮影するように適合される。
【００２９】
有利な点として、前記画像撮影手段は、被検者の視軸に平行な光軸を有する。これによって、測定が視差により歪められることが防止される。
【００３０】
本発明の他の目的は、被検者の参照頭位を特定する装置を提供することであり、装置は、
−  被検者の少なくとも一方の瞼の動き又は位置を表す少なくとも１つの画像を、被検者の頭部が、被検者の注視線が所定の方向に向けられる初期頭位から始めて上下に移動される間に受信するように適合される少なくとも１つの入力であって、注視線は、頭部の移動中に前記所定の方向に向けられたままであるような入力と、
−  前記少なくとも１つの入力が受信した少なくとも１つの画像を分析して、前記参照頭位を、少なくとも１つの画像の分析に基いて、被検者の少なくとも一方の瞼の動き及び位置の少なくとも１つに応じて特定するように構成された少なくとも１つのプロセッサと、
を含む。
【００３１】
特定の実施において、装置は、被検者の少なくとも一方の瞼の動き又は位置を撮影し、それを少なくとも１つの入力に提供するように構成された画像撮影装置をさらに含む。
【００３２】
この装置の好ましい実施形態において、少なくとも１つの入力は、頭部が前記参照頭位にあるときに少なくとも１つの画像を受信するように構成され、少なくとも１つのプロセッサは、前記少なくとも１つの画像を分析して、前記眼鏡のフレームに関連付けられる特徴的高さの測定値を、被検者が物理的又は仮想的に眼鏡を装用するときの被検者の一方の瞳孔の中心と前記フレームの下縁との間の、初期の所定の方向に実質的に垂直な縦方向に沿った距離に応じて特定するように構成される。
【００３３】
画像撮影装置を備える特定の実施例において、これは、被検者の画像を、本人の頭部が参照頭位にあるときに撮影するように構成される。
【００３４】
本発明はまた、１つ又は複数の処理装置に、被検者の参照頭位を特定する方法を実行させるように構成された非一時的コンピュータ可読媒体において具現化されるソフトウェアプログラム製品にも関し、方法は、
ａ）被検者の少なくとも一方の瞼の動き又は位置を、本人が自分の注視線を所定の方向に向ける初期頭位から始めて、本人が自分の頭部を上下に移動させる間に取得するステップであって、被検者は自分の注視線を自分の頭部の移動中に前記所定の方向に向け続けるようなステップと、
ｂ）前記参照頭位を、ステップａ）の本人の頭部の移動中に被検者の前記少なくとも一方の瞼の動き又は位置に応じて特定するステップと、
を含む。
【００３５】
本発明は最後に、１つ又は複数の処理装置に、被検者の参照頭位を特定する方法を実行させるように構成された非一時的コンピュータ可読媒体において具現化されるソフトウェアプログラム製品を提供し、方法は、
ａ）被検者の少なくとも一方の瞼の動き又は位置を表すデータを、被検者の頭部が、被検者の注視線が所定の位置に向けられる被検者の初期頭位から始まって上下に移動する間に受信するステップであって、被検者の注視線は、上下移動中に所定の方向に向けられ続けるようなステップと、
ｂ）前記参照頭位を、受信したデータに基づいて、頭部の移動中の被検者の前記少なくとも一方の瞼の動き又は位置に応じて特定するステップと、
を含む。
【００３６】
非限定的な例として提供される添付の図面に関して行われる以下の説明により、本発明が何を構成するか、及びそれをどのように実践できるかを明確に理解できる。
【図面の簡単な説明】
【００３７】
【図１】本発明の第一の実施形態による装置の正面の被検者の略図である。
【図２】被検者の両眼を示す、図１の上面図である。
【図３】それぞれ初期頭位と参照頭位にある被検者の頭部の略図である。
【図４】それぞれ初期頭位と参照頭位にある被検者の頭部の略図である。
【図５】被検者の眼の、初期頭位にある被検者の眼の瞼及び瞳孔を示す略図である。
【図６】参照頭位にある図５の眼の略図である。
【図７】眼鏡のフレームを装用している被検者の眼の、フレームの底部と瞳孔の中心との間のフィッティング高さに関する詳細を含む略図である。
【発明を実施するための形態】
【００３８】
以下に、被検者１（図１参照）の参照頭位を特定する方法と装置について説明し、この場合、被検者の一方又は両方の瞼の、本人（説明文の残りの部分について、被検者は男性であることを前提とする）が自分の頭部を移動させている間の位置及び／又は動きが使用される。
【００３９】
この参照頭位は、各被検者に特定的であり、かなり安定しており、日によってそれほど変化しない。
【００４０】
したがって、被検者１の参照頭位を特定することは、特に累進多焦点レンズ（ＰＡＬ：ｐｒｏｇｒｅｓｓｉｖｅ  ａｄｄｉｔｉｏｎ  ｌｅｎｓ）用の眼鏡の設計及び製造の点で、被検者１の光学的及び／又は眼若しくは頭部に関する測定を行う際に特に有益である。
【００４１】
図１に、本発明の特定の実施形態による装置１０を示す。装置１０は、デジタルビデオレコーダ１１（以下、カメラという）と、カメラ１０にデジタルケーブル１９によって双方向通信用に接続されたコンピュータシステム１２と、を含む。
【００４２】
この特定の実施形態において、装置１０は、被検者１の正面に配置される眼捕捉手段１３、１４をさらに含み、それによって本人は、本人がその注視線１６、１７を所定の方向１８に向ける初期頭位をとる（図１Ａ参照）。
【００４３】
眼捕捉手段１３、１４は、光源１３、例えば発光ダイオード（ＬＥＤ）と、被検者１の正面に位置付けられ、光源１３及び被検者１の頭部２に関して、所定の方向１８が水平軸Ｙに沿って実質的に水平となる（図１及び１Ａの矢印参照）ように向き付けられた半透明又はダイクロイックミラー１４と、を含む。
【００４４】
換言すれば、ＬＥＤ  １３は、縦軸Ｘに関して４５°の角度で傾けられたミラー１４の真上／直立位置に設置され、それによって光源１３の（仮想）像は所定の方向１８に沿って水平軸Ｙ上（ミラー１４の背後でカメラ１１の付近）に位置付けられる。
【００４５】
変形型において、光源は被検者の眼と同じ高さに位置付けられてもよく、それによって初期頭位は、被検者が遠くの点（遠視野）を見ているときにとり得るそれとなる。
【００４６】
他の変形型において、所定の方向は、被検者の、本人が正面の固定点（カメラ１１の付近に設置された光源）又は鏡の中、若しくは表示スクリーン上、例えば自分のデジタルタブレットの自分の携帯電話のスクリーン上の自分自身を見ているときの注視方向により定義されてよい。
【００４７】
カメラ１１は好ましくは、被検者１の頭部２の正面の、半透明又はダイクロイックミラー１４の背後に位置付けられ、光軸１５を有し、光軸１５は好ましくは、被検者１の視軸１８（図１Ａ参照）と平行である（被検者の両眼の画像を撮影する際の視差の問題を回避するため）。
【００４８】
カメラ１１は、カメラ１１の正面に置かれた被検者１の頭部２及び眼３、４の画像を撮影するように光学的及び機械的にセットアップされる。
【００４９】
コンピュータシステム１２はまた、カメラ１１により記録される画像又はフィルムをリアルタイムでモニタするためのビデオスクリーン１２を含んでいてよい。コンピュータシステム１２は、カメラ１１により捕捉された画像を分析し、画像処理アルゴリズムを実行してこれらの画像から有益な情報を抽出し、被検者の少なくとも一方の瞼の動き又は位置に関する、求めている参照頭位を特定するのに適した計算手段を含む。
【００５０】
図１の装置１０を使用して、本発明の方法を実行することが可能であり、前記方法は、
ａ）被検者１に、
ａ１）本人が自分の注視線を所定の方向１８に向ける初期頭位をとるように、
ａ２）自分の頭部を、自分の注視線を所定の方向１８に向けたままにしながら、初期頭位から始めて上下に（図１の両矢印２０参照）動かすように
依頼するステップと、
ｂ）参照頭位を、ステップａ２）の本人の頭部の移動中に被検者１の少なくとも一方の瞼の動き又は位置に応じて特定するステップと、
を含む。
【００５１】
したがって、ステップａ）で、被検者の少なくとも一方の瞼の動き又は位置を、本人が自分の注視線を所定の方向に向ける初期頭位から始めて本人が自分の頭部を上下に移動している間に取得され、被検者は、自分の頭部の移動中に自分の注視線を前記所定の方向に向けたままとする。
【００５２】
図３及び４に、被検者１の、本人がそれぞれ初期頭位にあるとき（図３の場合）及び参照頭位にあるとき（図４の場合）の頭部２を示す。
【００５３】
ステップａ）
方法の初めに、被検者１は装置１０の正面に座るか、又は立ち、ミラー１４により反射された光源１３の画像に焦点を合わせようとする。この状況で、その注視線（すなわち、図２の視線１６、１７）は画像に向けられ、所定の方向１８を画定する。
【００５４】
この初期頭位において（図３）、図５に被検者１の（右）眼３の詳細図を、
−  下瞼５と上瞼９、
−  強膜６、
−  虹彩７と瞳孔８
と共に示す。
【００５５】
本発明の好ましい実施形態において、実験の照明条件は、被検者１が明順応状態（約３００ｃｄ／ｍ２を超える高い環境輝度レベル）となる、というものであり、それによって被検者１の眼３の瞳孔８はその最小サイズ（縮瞳）に近く、これは一般に約１．５〜２ミリメートルである。
【００５６】
ここで実際には、明順応状態は、アンビエント照明（例えば、眼鏡店で通常見られるようなもの）で、及び光源１３の明るさレベルで得られる。
【００５７】
図５に示されるように、右眼３の上瞼９はこの時点で持ち上げられ、虹彩７のわずかな上部分しか隠れておらず、瞳孔８の口径食は生じていない。
【００５８】
初期頭位（図３及び５）において、被検者１の眼３全体の画像が得られるかもしれず、これには被検者の眉２０と眉２０の眉弓２１が含まれる。好ましくは、取得された画像を処理して、眉弓２１と上瞼９の縁２２を特定し、眉弓２１から上瞼９の縁２２までの、縦軸２３（軸Ｘに平行）に沿った距離により画定される、眼３の上瞼９の初期位置を計算できる。
【００５９】
その後、被検者１がその注視線１６を所定の方向１８に向ける初期頭位（図３）から始めて、被検者１には、光源１３の画像を見続けながら、好ましくは自分の頭部２を左右に回さずに、頭部２を上下に動かすように依頼する（ステップａ２：図３の両矢印２０参照）。
【００６０】
ステップｂ）
その頭部２の移動全体中に、装置１０のカメラ１１は、例えば３０又は６０Ｈｚのサンプリングレートで被検者１の眼３、４の画像を記録し、画像を画像処理及び分析のためにコンピュータシステム１２に送信する。
【００６１】
その後、参照頭位（図４参照）が、被検者１の、その頭部２の移動中の上瞼９の動き又は位置に応じて特定される。
【００６２】
代替的な実施形態において、被検者の眼の画像の中で下瞼５が使用されてもよい。
【００６３】
図６に示されるように、参照頭位において、上瞼９はここではその初期位置（図３の初期頭位）に関して、虹彩７のほぼ半分を隠しているように下がっている（上記参照）。
【００６４】
参照頭位（図４）において、眼３の上瞼９の「参照」位置が計算されてもよく、これは再び、眉弓２１から上瞼９の縁２２までの、縦軸２３（軸Ｘに平行）に沿った距離により画定される（図６参照）。
【００６５】
本発明による方法の特定の実施形態において、参照頭位はステップｂ）で、被検者１の頭部２が上に移動している、又は下に移動しているときに、上瞼９が被検者１の対応する眉２０の眉弓２１内にちょうど入り、又はそこから出る瞬間に被検者１がとる頭位として特定される。
【００６６】
上瞼９の動きによって参照頭位の位置がわかる場合は、ステップｂ）で、それは被検者１の頭部２が上に移動している、又は下に移動しているときに、上瞼９が移動を停止し、又は始める瞬間に被検者１がとる頭位として特定される。
【００６７】
参照頭位は、ビデオカメラ１１を用いるか（図４及び６の場合）、又は目視観察により直接特定されてよい。目視観察の場合、被検者に被検者の頭部の傾斜角度を記録する特殊な機器を取り付けてよい。この方法を実行するアイケア従事者（ＥＣＰ：ｅｙｅ−ｃａｒｅ  ｐｒａｃｔｉｔｉｏｎｅｒ）は、次に被検者の参照頭位に対応する傾斜角度をメモする。
【００６８】
その後、この方法で以前に特定された参照頭位を再現するために、被検者１の頭部２（本人がフレームを装用しない場合）又は本人が装用するフレームを上記の傾斜装置に合わせ、被検者１に、傾斜角度が以前の測定中に特定された数値と等しくなるまで、自分の頭部２を傾けるように依頼することができる。
【００６９】
上述の装置１０と方法は、被検者がフレーム付きの眼鏡を、フレーム内に眼鏡レンズが嵌められているか、嵌められていない状態で装用しているとき、又は装用していないときに使用／実行されてよい。これらの眼鏡は、本人が通常装用しているものでも、本人が選択した新しいものでもよい。
【００７０】
上記の装置と方法は、被検者１について、本人が参照頭位にあるときに各種の測定を行うために特に興味深く、それは、参照頭位が、特定の条件での被検者１に特定的な種類のものであるからである。
【００７１】
これは、眼鏡のフレームを装用している被検者１の眼２について、幾何学的及び／又は形態学的距離又は長さを測定する際に特に興味深い。より詳しくは、図７に関して、本発明はまた、被検者１が物理的又は仮想的に装用する眼鏡のフレーム２４に関する特徴的高さを測定する方法も提案し、これを以下、フィッティング高さＢと呼ぶ。
【００７２】
前記測定方法は、
−  本発明による特定方法を使って被検者１の参照頭位を特定するステップ（上記参照）と、
−  被検者１の頭部２がこの参照頭位にあるときに、フィッティング高さの測定値Ｂを、被検者１の瞳孔８の中心２８と前記フレーム２４の下縁２７との間の、初期特定方向１８（図２参照）に実質的に垂直な縦方向Ｘに沿った距離に応じて特定するステップと、
を含む。
【００７３】
フィッティング高さＢの測定値を特定するために、図１０のものと同じ装置１０を使用できる。この場合、コンピュータシステム１２はすると、カメラ１１により撮影された被検者１の頭部２の、及び眼３、４の画像を処理することにより、眼３の瞳孔８とフレーム２４の円２５の両方（前記フレームがブリッジ２６により連結された２つの円２５を含む場合であり、図１０参照）を検出するように構成される。
【００７４】
瞳孔８と円２５が検出されると、瞳孔２８の中心２８と円２５の内縁２６を特定でき、中心２８と縁２６との間の、縦軸Ｘに沿った距離、すなわち特徴的高さを特定できる。
【００７５】
有利な点として、特定方法のステップｂ）で、被検者１の頭部２の、縦方向２３に関する傾き角度が取得され、被検者１の頭部２が縦方向Ｘに関して取得された傾き角度θ１だけ傾けられたときのフィッティング高さが特定される。
【００７６】
本発明の好ましい実施形態において、前記フィッティング高さの実際の値ＢＲが、測定値Ｂに対するオフセットδＢを用いて特定され、オフセットは例えば、被検者の民族性、すなわち白人系、ユーラシア系、アジア系等に依存する。
【００７７】
オフセットの値δＢは、例えば、被検者の参照頭位と自然頭位との間で測定された傾斜角度（傾斜装置により測定される）の平均角度差であってよい。
【００７８】
他の好ましい実施形態において、被検者１の瞳孔８の大きさを縮小するように適合された照明条件でフィッティング高さの測定値Ｂが特定される。これらの照明条件では、瞳孔８の大きさがより小さくなる（虹彩７の縮瞳による）ことにより、瞳孔８の中心２８の特定においてより高い精度に到達できる。
【００７９】
被検者１が眼鏡を仮想的に装用する場合（すなわち、仮想フレームがコンピュータシステム１２によって、カメラ１１により記録された被検者１の頭部２の画像にデジタル的に加えられる）、被検者１の頭部２に関するフレーム２４の位置が、被検者１の眉２０と前記フレーム２５の上縁２９との間の、縦方向２３（Ｘ軸）に沿った距離Ｈ（図７参照）にしたがって特定される。
【００８０】
被検者１の参照頭位を特定するための上記の装置１０と方法はまた、被検者により装用されるように設計された眼鏡のフレーム内への少なくとも１つの眼鏡レンズの取付けを検証する方法にも使用／実行されてよい。
【００８１】
この有利な方法は、
−  本発明による特定方法を使って被検者１の参照頭位を特定するステップ（上記参照）と、
−  被検者が参照頭位にあり、少なくとも１つの眼鏡レンズが嵌められていないフレームを装用しているときに、フレームの第一の画像を撮影するステップと、
−  マーキングを有する少なくとも１つの眼鏡レンズをフレーム内に取り付けるステップと、
−  前記マーキングを表示する、少なくとも１つの眼鏡レンズが嵌められたフレームの第二の画像を撮影するステップと、
−  前記第一及び第二の画像を処理して、両方の画像内にフレームの画像を重ねるようにするステップと、
−  前記マーキングと、眼鏡レンズで視力矯正される被検者の眼の瞳孔の中心との間の距離の計算値を特定するステップと、
−  前記計算値を閾値と比較するステップと、
−  フレーム内への少なくとも１つの眼鏡レンズの取付けを、以前の比較に応じて検証するステップと、
を含む。
【００８２】
この測定の基本原理は以下のとおりである。
【００８３】
まず、被検者が自分の望む眼鏡フレームを選択した後、及びこのフレーム（眼鏡レンズはない）を自分の頭部で調整した後、被検者１に、本人が自分の注視線を所定の方向に向ける初期頭位をとるように依頼してよい（上記ステップａ１参照）。この第一の構成で、被検者の顔の第一の画像が取得される。この第一の画像が処理され、例えば瞳孔間距離と、瞳孔の中心とフレームの下縁との間のフィッティング高さの測定値が特定される（詳細は上記参照）。第一の画像とフィッティング高さの値が、フレームへの眼鏡レンズの取付けを担当するオペレータに提供される。
【００８４】
すると、このオペレータは１つ又は２つの処方された眼鏡レンズを選択されたフレームに嵌める。当分野でよく知られているもののように、このフィッティングは、レンズの光学的及び幾何学的パラメータ並びに以前に測定された幾何学的及び形態学的数値（瞳孔間距離、特徴的高さ等）に基づいて行われる。この第二の構成で、眼鏡レンズが嵌められたフレームの第二の画像が、取付け用のレンズ上にある通常のフィッティングマーク（マーキング）がこの第二の画像上で見えるように注意しながら得られる。
【００８５】
その後、デジタル処理により、第一の画像のフレームの画像の大きさ及び／又は形状を変えることによって第三の画像内に第一及び第二の画像を重ねようとする。
【００８６】
この第三の画像の中で、引き続き画像の数値分析により、マーキングと被検者の眼の瞳孔の左右の中心との間の距離の数値が計算される（又は第三の画像が表示されるスクリーン上にて目視にて評価される）。
【００８７】
取付けが正しければ、計算値は所定の閾値より小さいはずである。反対に、計算値が閾値より大きいと、フレーム内への眼鏡レンズの取付けは正しいと確認されず、例えばオペレータが修正の取付け作業を行うことができる。
【００８８】
少なくとも１つの実施形態の態様は、非一時的コンピュータ可読媒体上に具現化されるソフトウェアプログラム製品又はコンピュータ可読コードとして具現化でき、非一時的コンピュータ可読媒体は、１つ又は複数のプロセッサに、例えば動作を実行させることができる。非一時的コンピュータ可読媒体は、コンピュータ可読記憶媒体であってよく、これは後にコンピュータシステム又はコンピュータコード処理装置により読み取られることが可能なデータを記憶できるあらゆるデータ記憶装置である。コンピュータ可読記憶媒体の例には、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピディスク、及び光データ記憶装置が含まれる。ソフトウェアプログラム製品はまた、ネットワーク接続されたコンピュータシステム上に分散させることができ、それによってコンピュータ可読コードは分散型で１つ又は複数のプロセッサにより記憶、実行される。
【符号の説明】
【００８９】
１  被検者
２  眼
３  眼
４  眼
５  下瞼
６  強膜
７  虹彩
８  瞳孔
９  上瞼
１０  装置
１４  眼捕捉手段
１４  ミラー
１５  光軸
１６  視線
１７  視線
１８  視軸
１９  デジタルケーブル
２０  眉
２１  眉弓
２２  縁
２３  縦軸
２４  フレーム
２５  フレーム
２６  縁
２７  下縁
２９  上縁
【図１】
2021505253.tif 000003
【図２】
2021505253.tif 000004
【図３】
2021505253.tif 000005
【図４】
2021505253.tif 000006
【図５】
2021505253.tif 000007
【図６】
2021505253.tif 000008
【図７】
2021505253.tif 000009
【国際調査報告】
2021505253.tif 000010
2021505253.tif 000011
2021505253.tif 000012